(57)【要約】      （修正有）【課題】導入の容易性や測定値の履歴管理について、従来よりも作業効率性の高い擁壁の傾斜測定装置及び方法を提供する。【解決手段】擁壁の傾斜角度を測定する傾斜計１と、外部端末Ｂからの無線通信により、傾斜計１の測定値を取得する機能を少なくとも備える、パッシブ形のＩＣタグ２と、を少なくとも具備することで、取得した測定値に基づいて擁壁の相対変位を算出する。また、ＩＣタグ２に傾斜計１の測定履歴を記録することで、擁壁自身にて測定履歴を保管する。【選択図】図１
2014169982.tif 000002
【特許請求の範囲】
【請求項１】
擁壁に設置する傾斜測定装置であって、
前記擁壁の傾斜角度を測定する傾斜計と、
外部端末からの無線通信により、前記傾斜計の測定値を取得する機能を少なくとも備える、パッシブ形のＩＣタグと、
を少なくとも具備することを特徴とする、擁壁の傾斜測定装置。
【請求項２】
前記ＩＣタグが、前記測定値の履歴を保存してあることを特徴とする、請求項１に記載の擁壁の傾斜測定装置。
【請求項３】
擁壁に設けた傾斜計の測定値を、パッシブ形のＩＣタグを介した無線通信によって取得することを特徴とする、擁壁の傾斜測定方法。
【請求項４】
擁壁に設けた傾斜計の測定値を、パッシブ形のＩＣタグを介した無線通信によって取得し、前記測定値から擁壁の変位を算出することを特徴とする、擁壁の監視方法。
【発明の詳細な説明】
【技術分野】
【０００１】
本発明は、補強土壁などの擁壁の維持管理にあたり、該擁壁の変状を監視するための、擁壁の傾斜測定装置及び傾斜測定方法、並びに擁壁の監視方法に関する。
【背景技術】
【０００２】
擁壁は、設置した壁面材や補強部材などによって地盤や山肌を土留めする構造物であり、一般道、高速道路、造成地、急傾斜地、河川や海岸の岸壁、崖の保護などで多く用いられている。
【０００３】
擁壁は、全国各地に多数構築されており、設置年数が長期にわたる擁壁も多数存在する。これらの擁壁が崩落するなどの事故を未然に防止するために、事前に補修、改修、再構築等（以下、「補修等」という。）の必要性を監視しておく必要がある。
【０００４】
擁壁の補修等の必要性を判断する方法としては、壁面材の脱落、傾斜、変形などを監視する方法がある。
壁面材の脱落は、主に人による目視点検にて監視することができる。
しかし、壁面材の傾斜や変形は前記の目視点検では把握することが困難であるため、光波測量やステレオカメラ測量など、専用機材を用いて行う方法が一般的である。
【０００５】
なお、以下の非特許文献１には、コンクリート構造物の傾斜を計測するものではないが、コンクリート構造物内部の鉄筋のひずみをＲＦＩＤで計測して、コンクリート構造物の劣化を監視するシステムが開示されている。
【先行技術文献】
【非特許文献】
【０００６】
【非特許文献１】http://www.taiheiyo-cement.co.jp/rd/rfid/hizumi/index.html
【発明の概要】
【発明が解決しようとする課題】
【０００７】
上記した従来の方法では、以下に記載する問題のうち、少なくとも何れか一つを含む問題が生じうる。
（１）測定場所の確保の観点
光波測量やステレオカメラ測量は、擁壁の前方のスペースから計測する必要があり、急峻な斜面等に構築した擁壁などでは、そのスペースが確保できない場合があった。
（２）測定値の履歴管理の観点
擁壁の安定性を検討するために重要となるのは初期値と異常時の変位差や、前回の測定値からの急激な変位差の発生である。従って、擁壁の安定性を検討するには、現在の測量結果だけでなく、過去の測量結果が必要となる。
しかし、従来の測量方法では、ターゲットを壁面材に設置する必要があるため、ターゲットの脱落や、再設置による測定場所の狂いが生じると、過去の測量結果との連続性が維持できない場合がある。
また、過去の測量結果は、事務所にて文書ファイルやＰＣ等へのデータ保存によって管理していることが殆どで、全ての擁壁についてこれらの測量結果の履歴を管理したり、過去の測量結果を検索したりする作業は、非常に手間がかかり煩雑である。
（３）作業コストの観点
従来の測量方法を実施するためには、専門知識と高価な機材が必要であり、無数に存在する擁壁全てに従来の測量方法で監視することは非現実的であった。
（４）迅速な安定性評価の観点
上記（２）の通り、擁壁の安定性を検討するには、現在の測量結果だけでなく、過去の測量結果も必要とするため、擁壁の安定性を測量現場で迅速に評価することが困難であった。
（５）既設擁壁への導入容易性の観点
非特許文献１のようなひずみ計測システムは、新設する構造物に予め組み込んでおく必要があり、既設構造物に対して追加的に計測システムを導入することができない。
【０００８】
したがって、本発明は、従来よりも効率性又は利便性の高い擁壁の傾斜測定装置及び傾斜測定方法、並びに監視方法を提供することを目的の一つとする。
【課題を解決するための手段】
【０００９】
本願発明は、擁壁に設置する傾斜測定装置であって、前記擁壁の傾斜角度を測定する傾斜計と、外部端末からの無線通信により、前記傾斜計の測定値を取得する機能を少なくとも備える、パッシブ形のＩＣタグと、を少なくとも具備することを特徴とする、擁壁の傾斜測定装置を提供する。
また、本願発明は、擁壁に設けた傾斜計の測定値を、パッシブ形のＩＣタグを介した無線通信によって取得することを特徴とする、擁壁の傾斜測定方法を提供する。
また、本願発明は、擁壁に設けた傾斜計の測定値を、パッシブ形のＩＣタグを介した無線通信によって取得し、前記測定値から擁壁の変位を算出することを特徴とする、擁壁の監視方法を提供する。
また、本願発明は、前記ＩＣタグに前記測定値の履歴を保存しておいてもよい。
【発明の効果】
【００１０】
本発明によれば、以下に記載する効果のうち、少なくともいずれか一つの効果を得ることができる。
（１）擁壁の前方に測定スペースを確保する必要が無く、現場の条件を選ばない。
（２）管理者に専門知識を必要とせず、取得手段によって傾斜計の計測・記録・読み込みができ、擁壁の傾斜の過去と現在の値を即座に確認できる。
（３）ＩＣタグに傾斜計の測定履歴を記録することで、あたかも擁壁自身が測定履歴を保管することとなり、管理者が別途記録を管理する必要が無くなる。
（４）傾斜計の測定値以外の情報（例えば施工業者、点検業者、擁壁諸元、補修履歴などの関連情報）をＩＣタグに別途記録しておくことにより、監視以外の施工管理にも活用できる。
（５）本発明を構成する各手段を、広く普及した公知の部品で流用できるため、低コストで本発明を実施できる。
（６）パッシブ形のＩＣタグを用いることにより、傾斜測定装置そのものに電源をもたせる必要がなく、半永久的に変位を計測・記録でき長期的な維持管理が可能となる。
（７）既設の擁壁に対する導入が容易である。
【図面の簡単な説明】
【００１１】
【図１】本発明の傾斜測定装置の基本構成を示す概要図。
【図２】本発明の傾斜測定装置の使用例を示す概要図。
【図３】本発明の傾斜測定装置のその他の使用例を示す概要図。
【発明を実施するための形態】
【００１２】
以下、各図面を参照しながら、本発明の実施例について説明する。
【実施例】
【００１３】
まず、本発明に係る傾斜測定装置の基本構成について説明する。
＜１＞全体構成
本発明に係る傾斜測定装置Ａは、測定対象である擁壁又は壁面材（以下擁壁等という。）に予めまたは事後的に取り付ける装置であり、傾斜計１とＩＣタグ２の二つの要素を少なくとも含んで構成する。
傾斜計１とＩＣタグ２は、各自独立した部材で構成してもよいし、それぞれの機能を一体化した一つの部材で構築してもよい。
また、傾斜測定装置Ａは、擁壁等の表面に貼り付けてもよいし、新設の際には擁壁の外側から無線通信が可能な範囲内で予め擁壁内部に予め埋め込んでおいてもよい。
以下、各要素の詳細について説明する。
【００１４】
＜２＞傾斜計
傾斜計１は、擁壁等に設置して、該擁壁等の傾斜角度を測定する装置である。
傾斜計１は、振り子式や、水準器式など、傾斜角度を検知可能な公知のセンサを用いることができる。
【００１５】
＜３＞ＩＣタグ
ＩＣタグ２は、傾斜計１とともに、擁壁に設置される装置である。
ＩＣタグ２は、外部と通信するアンテナ２１と、測定値を記録するメモリ２２と、前記アンテナ２１及びメモリ２２と前記傾斜計１１を制御する制御部２３とを備える。
ＩＣタグ２は、自己電源を必要としないパッシブ型とすることが望ましい。
ＩＣタグ２は、後述する外部端末Ｂの接近によるＲＦＩＤの電磁誘導によって確保した電力を利用して、前記傾斜計１の起動、測定値の記録、測定値の外部端末Ｂへの送信を行う機能を有する。
【００１６】
＜４＞その他の要素
外部端末３は、前記ＩＣタグ２と無線通信によって情報を送受信可能とする装置である。
外部端末Ｂは、ＩＣタグ２へのリーダライタ３を少なくとも含む。
より好ましくは、外部端末は、ＩＣタグから取得した測定値に基づいて擁壁の変位を算定する機能を少なくとも備えた制御部４、前記変位を保存するメモリ５、擁壁の変位を図示する表示手段６、の何れかを設けてもよい。
【００１７】
なお、算出部５における擁壁等の変位は、相対変位と絶対変位の両方を算定することができる。
変位の算定は、取得した測定値と擁壁等の構造諸元等の条件に基づいて、当業者が適宜実施可能な方法で実施することができる。
例えば、変形せずに傾斜し得る擁壁を想定したとき、擁壁等の上下方向に離隔するように複数の傾斜測定装置Ａを設けておくと、それぞれの測定値やそれらの測定値の差分によって、各傾斜測定装置Ａの間の相対変位を算出したり、擁壁等の姿勢を把握したりすることができる。
そして、擁壁等の任意の一箇所の絶対座標を別途計測しておき、前記の相対変位と組み合わせれば、擁壁等の絶対変位を算出することができる。
【００１８】
＜５＞測定方法
既設の傾斜測定装置Ａから外部端末Ｂを用いて測定値を無線通信で取得する手順としては種々の方法が考えられる。
例えば、擁壁等の天端から外部端末Ｂを吊りおろしたり、擁壁等の前面に足場を設けて作業員の出入りを可能して、擁壁に設置されているＩＣタグ２と外部端末Ｂとを近接通信させたりする方法などがある。
【００１９】
＜６＞第１実施例
一体型の擁壁の傾斜を測定する方法について図２を参照しながら説明する。
【００２０】
図２（ａ）は、一体型の擁壁Ｃの天端部分に傾斜測定装置Ａを設置した状態の概要図である。
図２（ｂ）は、図２（ａ）の簡易モデル図である。
初期状態での傾斜測定装置Ａの測定値は０°と仮定し、擁壁の高さはＬである。この擁壁Ｃの高さが、地表から傾斜測定装置Ａまでの高さに相当することとなる。
【００２１】
図２（ｃ）は、擁壁Ｃの底面を中心として擁壁Ｃが傾斜した場合の簡易モデル図である。
傾斜測定装置Ａの測定値をθとした場合、図２（ｃ）に示す通り、擁壁Ｃの天端部分がｔ＝Ｌsinθだけ前方に変位していることを外部端末Ｂにて算出できる。
これらの単純な演算処理で、擁壁Ｃの変位を簡単に算出することができる。
【００２２】
また、図示しないが、擁壁Ｃの鉛直方向の変位も前記と同様の考え方によって算出することができる。
【００２３】
なお、斜面に設置した傾斜形の擁壁であっても、初期状態を基準として傾斜角度を算出していけば、同様の考え方で擁壁Ｃの変位を算出することができる。
【００２４】
擁壁の監視方法は、所定期間毎に、擁壁Ｃの傾斜角度及び変位を算出し、任意の判定条件に基づいて補修の必要性を判定することで実現することができる。
【００２５】
＜７＞第２実施例
次に、分割型の擁壁Ｃの傾斜を測定する方法について図３を参照しながら説明する。
【００２６】
図３（ａ）は、擁壁Ｃを構成する各壁面材（Ｄ１，Ｄ２，Ｄ３・・・Ｄｎ）に個別に傾斜測定装置（Ａ１，Ａ２，Ａ３・・・Ａｎ）を設置した状態の概要図である。
図３（ｂ）は、図３（ａ）の簡易モデル図である。
初期状態でのそれぞれの傾斜測定装置Ａの測定値の値は０°と仮定し、各壁面材Ｄの高さをＬとする。
【００２７】
図３（ｃ）は、各壁面材Ｄがそれぞれ傾斜した場合の簡易モデル図である。
傾斜測定装置Ａ中のＩＣタグ２には、異なる識別番号が付されており、これらの識別番号を外部端末Ｂが測定値とともに取得することで、それぞれの壁面材Ｄの傾斜角度を把握することができる。
【００２８】
それぞれの傾斜測定装置Ａの測定値に基づく水平方向の相対変位量は以下の式で求まる。
擁壁底面からのＡ１の相対変位量        （ｔ1）：Ｌsinθ1
Ａ１からのＡ２の相対変位量            （ｔ2）：Ｌsinθ2
Ａ２からのＡ３の相対変位量            （ｔ3）：Ｌsinθ3
・・
Ａn-1からのＡnの相対変位量            （ｔn）：Ｌsinθn
【００２９】
なお、本実施例では、擁壁Ｃの底面を不動と仮定しているため、各傾斜測定装置Ａに基づく相対変位量（ｔ1，ｔ2・・・ｔn）を下方から順に合算すれば、擁壁Ｃ全体の絶対変位を算出することができる。
【００３０】
全体変位の算出方法は上記した方法に限られず、特定の一箇所（例：ある傾斜測定装置Ａ）の絶対位置を求めれば、当該絶対位置を基準とした相対変位の合算により擁壁Ｃ全体の絶対変位を算出することができる。
【００３１】
＜８＞変形例
本発明に係る傾斜測定装置の変形例について以下説明する。
【００３２】
［測定値の履歴機能］
本発明は、ＩＣタグ２及び外部端末の一方或いは両方に、傾斜測定装置の測定値又は外部端末Ｂで算出した変位の履歴を保存しておいても良い。
当該構成によれば、擁壁等の状態を時系列に把握することができる。
例えば、測定値は小さいものの、前回の測定から大きく変化した場合には補修を行う必要性が高いことを予測したり、測定値は大きいものの、前回の測定から変化が少ない場合には現状維持して監視継続としたりするなどの柔軟な判断が可能となる点で有益である。
【００３３】
［ＩＣタグの追加情報］
本発明は、ＩＣタグ２にその他の情報を記録しておいても良い。
例えば、擁壁等の施工業者、管理業者の情報や、擁壁等の仕様諸元などのデータを保存しておくことができる。
当該構成によれば、擁壁等自身に種々の情報を格納しておくことで、作業員側で予め情報収集を行ったり、外部端末Ｂ側での情報処理に必要な情報をその都度ＩＣタグ２側から取得したりすることが可能となる点で有益である。
【００３４】
［外部端末からの書き込み機能］
本発明は、外部端末Ｂ又はその他の情報処理装置から傾斜測定装置Ａ内のＩＣタグ２に情報を書き込み可能に構成することもできる。
例えば、既に文書等で管理していた既設擁壁の傾斜状態を本発明の傾斜測定装置に対応する形式に変換してＩＣタグ２に記録しておくことにより、本発明の傾斜測定装置を導入する以前の情報を活用する形で擁壁の維持管理が可能となる。
【符号の説明】
【００３５】
Ａ    傾斜測定装置
１    傾斜計
２    ＩＣタグ
２１  アンテナ
２２  メモリ
２３  制御部
Ｂ    外部端末
３    リーダライタ
４    制御部
５    メモリ
６    表示手段
Ｃ    擁壁
Ｄ    壁面材
【図１】
2014169982.tif 000003
【図２】
2014169982.tif 000004
【図３】
2014169982.tif 000005